(57)【要約】【課題】バーナボディ２上に載置される環状のバーナキャップ３と、バーナキャップの上面を上下方向の隙間を存して覆う環状のバーナカバー６とを備えるコンロバーナにおいて、バーナカバー上に落下した煮こぼれがバーナカバーの外周縁からバーナカバーの下面に回り込んでバーナキャップの上面外周寄り部分に落下することを防止する。【解決手段】バーナカバー６の外周縁部とバーナキャップ３の上面外周部との少なくとも一方に、バーナキャップ３とバーナカバー６との間の隙間を全周に亘り閉塞する外周筒部７を形成する。また、バーナカバー６の内周縁部に、下方にのびる内周筒部８を形成し、バーナカバー６上に落下して内周側に流れた煮こぼれが内周筒部８を伝ってバーナキャップ３の内周に流下するようにする。【選択図】図２
2016109343.tif 000002
【特許請求の範囲】
【請求項１】
バーナボディ上に載置される環状のバーナキャップを備え、バーナボディの上面外周部とバーナキャップの下面外周部との一方に他方に当接する環状壁を突設して、この環状壁に、周方向の間隔を存して複数の炎口を形成したコンロバーナであって、バーナキャップの上面を上下方向の隙間を存して覆う環状のバーナカバーを備えるものにおいて、
バーナカバーの外周縁部とバーナキャップの上面外周部との少なくとも一方に、バーナキャップとバーナカバーとの間の隙間を全周に亘り閉塞する外周筒部が形成されることを特徴とするコンロバーナ。
【請求項２】
請求項１記載のコンロバーナであって、前記バーナカバーの内周縁部に、下方にのびる内周筒部が形成され、バーナカバー上に落下して内周側に流れた煮こぼれが内周筒部を伝って前記バーナキャップの内周に流下するようにしたことを特徴とするコンロバーナ。
【請求項３】
請求項２記載のコンロバーナであって、前記バーナカバーは、前記外周筒部を介して前記バーナキャップ上に支持され、前記内周筒部は、バーナキャップの上面内周部に着座しないことを特徴とするコンロバーナ。
【請求項４】
請求項１記載のコンロバーナであって、前記バーナカバーの内周縁部と前記バーナキャップの上面内周部との少なくとも一方に、バーナキャップとバーナカバーとの間の隙間を全周に亘り閉塞する内周筒部が形成されることを特徴とするコンロバーナ。
【請求項５】
請求項４記載のコンロバーナであって、前記バーナキャップの上面内周部に前記内周筒部が形成されるものにおいて、前記バーナカバーは、前記外周筒部を介してバーナキャップ上に支持され、内周筒部の上端部はバーナカバーに内嵌するが、バーナカバーの下面内周部は内周筒部に着座しないことを特徴とするコンロバーナ。
【請求項６】
請求項１〜５の何れか１項記載のコンロバーナであって、前記バーナカバーの外周部に前記外周筒部が形成されるものにおいて、外周筒部の下端に下方に突出する爪部が形成されると共に、前記バーナキャップの上面外周部に爪部が圧入される凹孔が形成されることを特徴とするコンロバーナ。
【発明の詳細な説明】
【技術分野】
【０００１】
本発明は、ガスコンロに設けられるコンロバーナに関する。
【背景技術】
【０００２】
コンロバーナは、バーナボディ上に載置される環状のバーナキャップを備え、バーナボディの上面外周部とバーナキャップの下面外周部との一方に他方に当接する環状壁を突設して、この環状壁に、周方向の間隔を存して複数の炎口を形成している。
【０００３】
ところで、燃焼時に炎口に近いため高温になるバーナキャップの上面外周寄り部分に煮こぼれが落下すると、煮こぼれが落下したバーナキャップの部分が急冷されて、バーナキャップの耐久性に悪影響が及ぶ。そこで、従来、バーナキャップの上面を上下方向の隙間を存して覆う環状のバーナカバーを備えるコンロバーナも知られている（例えば、特許文献１参照）。
【０００４】
然し、このものでも、バーナカバー上に落下した煮こぼれがバーナカバーの外周縁からバーナカバーの下面に回り込んでバーナキャップの上面外周寄り部分に落下してしまうことがある。従って、煮こぼれがバーナキャップの上面外周寄り部分に落下することを確実には防止できない。
【先行技術文献】
【特許文献】
【０００５】
【特許文献１】特開２０１４−７７５９３号公報
【発明の概要】
【発明が解決しようとする課題】
【０００６】
本発明は、以上の点に鑑み、煮こぼれがバーナキャップの上面外周寄り部分に落下することを確実に防止できるようにしたコンロバーナを提供することをその課題としている。
【課題を解決するための手段】
【０００７】
上記課題を解決するために、本発明は、バーナボディ上に載置される環状のバーナキャップを備え、バーナボディの上面外周部とバーナキャップの下面外周部との一方に他方に当接する環状壁を突設して、この環状壁に、周方向の間隔を存して複数の炎口を形成したコンロバーナであって、バーナキャップの上面を上下方向の隙間を存して覆う環状のバーナカバーを備えるものにおいて、バーナカバーの外周縁部とバーナキャップの上面外周部との少なくとも一方に、バーナキャップとバーナカバーとの間の隙間を全周に亘り閉塞する外周筒部が形成されることを特徴とする。
【０００８】
本発明によれば、煮こぼれがバーナキャップの上面に直接落下することをバーナカバーで防止できる。更に、バーナカバー上に落下した煮こぼれがバーナカバーの外周縁からバーナカバーの下面に回り込むことを外周筒部で阻止でき、煮こぼれがバーナカバーの下面を伝ってバーナキャップの上面外周寄り部分に落下することも防止できる。従って、バーナキャップの上面外周寄り部分への煮こぼれの落下防止の確実性が向上する。また、バーナキャップとバーナカバーとの間の隙間が断熱空気層として機能して、バーナキャップからの熱がバーナカバーに伝わりにくくなり、バーナカバーに落下した煮こぼれがバーナカバーに熱でこびり付くことを抑制できる。
【０００９】
ところで、多量の煮こぼれを生じた場合、バーナカバーの外周縁からバーナカバーの下面への煮こぼれの回り込みを防止しても、バーナカバーの内周縁からバーナカバーの下面に回り込んで落下する煮こぼれがバーナキャップ上に溜まって、バーナキャップの上面外周寄り部分まで煮こぼれが達する恐れがある。そのため、本発明においては、バーナカバーの内周縁部に、下方にのびる内周筒部が形成され、バーナカバー上に落下して内周側に流れた煮こぼれが内周筒部を伝ってバーナキャップの内周に流下するようにし、或いは、バーナカバーの内周縁部とバーナキャップの上面内周部との少なくとも一方に、バーナキャップとバーナカバーとの間の隙間を全周に亘り閉塞する内周筒部が形成されることが望ましい。これによれば、バーナカバー上に落下した煮こぼれがバーナカバーの内周縁からバーナカバーの下面に回り込むことを内周筒部で阻止でき、上記不具合を生じない。
【００１０】
また、バーナカバーの内周縁部に内周筒部を形成する場合に、内周筒部がバーナキャップの上面内周部に着座し、或いは、バーナキャップの上面内周部に内周筒部を形成する場合に、バーナカバーの下面内周部が内周筒部に着座していると、バーナカバーの内周側の下方への変位が規制されるため、熱歪でバーナカバーの内周側が外周側に比し下方に反るように変形したとき、バーナカバーの外周側が上方に変位して、外周筒部による煮こぼれのシール性を確保できなくなる。そのため、バーナカバーの内周縁部に内周筒部を形成する場合は、外周筒部を介してバーナキャップ上にバーナカバーを支持し、内周筒部は、バーナキャップの上面内周部に着座しないようにし、また、バーナキャップの上面内周部に内周筒部を形成する場合は、外周筒部を介してバーナキャップ上にバーナカバーを支持し、内周筒部の上端部はバーナカバーに内嵌するが、バーナカバーの下面内周部は内周筒部に着座しないようにすることが望ましい。これによれば、バーナカバーの内周側の下方への変位が許容されて、バーナカバーが上記の如く変形しても、バーナカバーの外周側は上方に変位せず、外周筒部による煮こぼれのシール性を確保できる。
【００１１】
また、本発明において、バーナカバーの外周縁部に外周筒部が形成される場合には、外周筒部の下端に下方に突出する爪部が形成されると共に、バーナキャップの上面外周部に爪部が圧入される凹孔が形成されることが望ましい。これによれば、バーナカバーをバーナキャップから容易には取り外せなくなり、バーナカバーの付け忘れや紛失を未然に防止できる。
【図面の簡単な説明】
【００１２】
【図１】本発明の第１実施形態のコンロバーナを示す斜視図。
【図２】図１のＩＩ−ＩＩ線で切断した断面図。
【図３】第１実施形態のコンロバーナのバーナカバーを分離した状態の斜視図。
【図４】（ａ）図３のＩＶａ−ＩＶａ線で切断した凹孔の拡大断面図、（ｂ）図４（ａ）のＩＶｂ−ＩＶｂ線で切断した凹孔の断面図。
【図５】第２実施形態のコンロバーナの要部の断面図。
【図６】第３実施形態のコンロバーナの要部の断面図。
【図７】第４実施形態のコンロバーナの要部の断面図。
【発明を実施するための形態】
【００１３】
図１、図２を参照して、ＴＰは、ガスコンロの天板であり、この天板ＴＰに開設したバーナ用開口ＴＰａに臨ませて本発明の実施形態のコンロバーナ１が配置されている。コンロバーナ１は、図外の混合管の下流端から上方にのびてバーナ用開口ＴＰａに挿通されるバーナボディ２と、バーナボディ２上に載置される環状のバーナキャップ３とを備えている。尚、コンロバーナ１には、バーナキャップ３の内周空間を通して上方に突出する鍋底温度センサ４が付設されている。
【００１４】
バーナボディ２は、内筒２１と外筒２２とで中空環状に形成される。ここで、内筒２１は、板金製の下半部２１ａと同じく板金製の上半部２１ｂとを繋ぎ合わせたものであり、外筒２２は、板金製の下半部２２ａと鋳造又は鍛造品から成る上半部２２ｂとを繋ぎ合わせたものである。外筒２２の上半部２２ｂには、バーナ用開口ＴＰａを上方から覆うカバーリング５が外挿されている。
【００１５】
バーナキャップ３の内周部には、内筒２１の上半部２１ｂに内嵌するシール筒部３１が垂設されている。また、バーナキャップ３の下面外周部には、バーナボディ２の上面外周部たる外筒２２の上半部２２ｂの上面に当接する環状壁３２が突設されている。そして、環状壁３２に、周方向の間隔を存して複数の溝から成る炎口３３を形成し、混合管からの混合気（燃料ガスと一次空気との混合ガス）がこれら炎口３３から噴出して燃焼するようにしている。尚、バーナボディ２の上面外周部に、バーナキャップ３の下面外周部に当接する環状壁を突設して、これに炎口を形成することも可能である。また、バーナキャップ３は、アルミ合金製として、軽量化を図っている。
【００１６】
尚、燃焼時に炎口３３に近く高温になるバーナキャップ３の上面外周寄り部分に煮こぼれが落下すると、煮こぼれが落下したバーナキャップ３の部分が急冷されて、バーナキャップ３の耐久性に悪影響が及ぶ。そのため、バーナキャップ３の上面を上下方向の隙間を存して覆う環状の板材から成るバーナカバー６を設けて、バーナキャップ３の上面に煮こぼれが落下することを防止している。また、バーナカバー６は、ステンレス製として、高級感を醸し出している。
【００１７】
ところで、バーナカバー６を設けるだけでは、バーナカバー６上に落下した煮こぼれがバーナカバー６の外周縁からバーナカバー６の下面に回り込んで、バーナキャップ３の上面外周寄り部分に落下する恐れがある。そこで、本実施形態では、バーナカバー６の外周縁部に、下方にのびる外周筒部７を形成し、この外周筒部７をバーナキャップ３の上面外周部に着座させて、バーナキャップ３とバーナカバー６との間の隙間を外周筒部７により全周に亘り閉塞している。尚、バーナキャップ３の上面外周部には、環状溝３４が形成されており、この環状溝３４に外周筒部７を嵌め込むようにして着座させることで、バーナカバー６を位置決めすると共に、外周筒部７の下端とバーナキャップ３との当接部を目隠しして、体裁を良好にしている。
【００１８】
また、バーナカバー６の内周部にも、下方にのびる内周筒部８が形成されている。この内周筒部８は、バーナキャップ３の上面内周部に着座していないが、内周筒部８の内径はバーナキャップ３の内径より小さく、バーナカバー６上に落下して内周側に流れた煮こぼれは内周筒部８を伝ってバーナキャップ３の内周に流下する。尚、バーナキャップ３の上面内周部には、径方向内方に向かって下方に傾斜する斜面３５が形成されており、内周筒部８の内径がバーナキャップ３の内径より大きくても、内周筒部８が斜面３５の上方に位置する限り、煮こぼれは内周筒部８を伝って斜面３５に落下した後にバーナキャップ３の内周に流下する。
【００１９】
以上の構成によれば、バーナカバー６上に落下した煮こぼれがバーナカバー６の外周縁からバーナカバー６の下面に回り込むことを外周筒部７で阻止でき、煮こぼれがバーナカバー６の下面を伝ってバーナキャップ３の上面外周寄り部分に落下することを防止できる。従って、バーナキャップ６の上面外周寄り部分への煮こぼれの落下防止の確実性が向上する。また、バーナキャップ３とバーナカバー６との間の隙間が断熱空気層として機能して、バーナキャップ３からの熱がバーナカバー６に伝わりにくくなり、バーナカバー６に落下した煮こぼれがバーナカバー６に熱でこびり付くことを抑制でき、清掃性も向上する。
【００２０】
尚、バーナカバー６の外周縁からバーナカバー６の下面への煮こぼれの回り込みを防止するだけでは、多量の煮こぼれを生じた場合に、バーナカバー６の内周縁からバーナカバー６の下面に回り込んで落下する煮こぼれがバーナキャップ３上に溜まって、バーナキャップ３の上面外周寄り部分まで煮こぼれが達する恐れがある。これに対し、本実施形態では、バーナカバー６の内周縁からバーナカバー６の下面に回り込むことを内周筒部８で阻止でき、かかる不具合を生じない。
【００２１】
ところで、内周筒部８がバーナキャップ３の上面内周部に着座していると、バーナカバー６の内周側の下方への変位が規制されるため、熱歪でバーナカバー６の内周側が外周側に比し下方に反るように変形した場合（外周側が内周側に比し上方に反るように変形した場合も含む）、バーナカバー６の外周側が上方に変位して、外周筒部７がバーナキャップ３の上面外周部から浮き上がってしまい、外周筒部７による煮こぼれのシール性を確保できなくなる。これに対し、本実施形態では、外周筒部７をバーナキャップ３の上面外周部に着座させるため、バーナカバー６は、外周筒部７を介してバーナキャップ３上に支持されることになり、上述したように内周筒部８をバーナキャップ３の上面内周部に着座させずに済む。これによれば、バーナカバー６の内周側の下方への変位が許容されて、バーナカバー６が上記の如く変形しても、バーナカバー６の外周側は上方に変位せず、外周筒部７がバーナキャップ３の上面外周部に着座して、バーナキャップ３とバーナカバー６との間の隙間を全周に亘り閉塞する状態に維持され、外周筒部７による煮こぼれのシール性を確保できる。
【００２２】
また、本実施形態では、図３に示す如く、外周筒部７の下端の周方向複数個所に下方に突出する爪部７１を形成すると共に、バーナキャップ３の上面外周部の各爪部７１に対応する位置に凹孔３６を形成している。凹孔３６は、図４に示す如く、径方向外方の側面が下方に向けて径方向内方に傾斜した傾斜面３６ａに形成され、周方向両側面が下方に向かって周方向内方に傾斜した傾斜面３６ｂに形成されている。そして、爪部７１を凹孔３６に挿入する際に、爪部７１の径方向外方の側面と周方向両側の側縁とが傾斜面３６ａ、３６ｂに圧接して、爪部７１が凹孔３６に圧入されるようにしている。これによれば、バーナカバー６をバーナキャップ３から容易には取り外せなくなり、バーナカバー６の付け忘れや紛失を未然に防止できる。
【００２３】
ところで、上記第１実施形態では、バーナカバー６を水平としているが、図５に示す第２実施形態の如く、バーナカバー６を径方向外方に向かって下方に傾斜させてもよい。
【００２４】
また、図６に示す第３実施形態の如く、バーナキャップ３の上面外周部に、バーナキャップ３とバーナカバー６との間の隙間を全周に亘り閉塞する外周筒部７を形成し、更に、バーナキャップ３の上面内周部に、バーナキャップ３とバーナカバー６との間の隙間を全周に亘り閉塞する内周筒部８を形成してもよい。ここで、外周筒部７には、バーナカバー６に外嵌する上端部の下側に位置させて、バーナカバー６の下面外周部が着座する、径方向内方に張出す受座７ａが形成されている。また、内周筒部８にも、バーナカバー６に内嵌する上端部の下側に位置させて、バーナカバー６の下面内周部が着座する、径方向外方に張出す受座８ａが形成されている。
【００２５】
尚、外周筒部７の受座７ａにバーナカバー６の下面外周部を着座させれば、バーナカバー６を支持できるから、図７に示す第４実施形態の如く、内周筒部８の受座８ａを省略して、バーナカバー６の下面内周部を内周筒部８に着座させなくてもよい。この場合でも、内周筒部８の上端部がバーナカバー６に内嵌することで、バーナカバー６の内周縁からバーナカバー６下面に煮こぼれが回り込むことを防止できる。ここで、第４実施形態では、内周筒部８に、受座８ａに代えて、バーナカバー６の下面内周部に隙間を存して対向する段部８ｂを形成しているが、段部８ｂは無くてもよい。何れにしても、第３実施形態の如くバーナカバー６の下面内周部を受座８ａに着座させるものと異なり、バーナカバー６の内周側の下方への変位が許容されるため、熱歪でバーナカバー６の内周側が外周側に比し下方に反るように変形しても、バーナカバー６の外周側は上方に変位せず、外周筒部７の受座７ａにバーナカバー６の下面外周部が着座した状態に維持され、外周筒部７による煮こぼれのシール性を確保できる。
【００２６】
また、図示しないが、第３と第４の実施形態において、バーナカバー６の外周縁部に下方に突出する爪部を形成すると共に、外周筒部７の受座７ａに爪部が圧入される凹部を形成し、バーナカバー６を容易には取り外せなくすることも可能である。
【００２７】
また、外周筒部７を上下２半部に分割して、バーナカバー６の外周縁部に形成した外周筒部の上半部をバーナキャップ３の上面外周部に形成した外周筒部の下半部上に着座させてもよい。同様に、内周筒部８を上下２半部に分割して、バーナカバー６の内周縁部に形成した内周筒部の上半部をバーナキャップ３の上面内周部に形成した内周筒部の下半部上に着座させてもよい。
【符号の説明】
【００２８】
１…コンロバーナ、２…バーナボディ、３…バーナキャップ、３２…環状壁、３３…炎口、３６…凹孔、６…バーナカバー、７…外周筒部、７１…爪部、８…内周筒部。
【図１】
2016109343.tif 000003
【図２】
2016109343.tif 000004
【図３】
2016109343.tif 000005
【図４】
2016109343.tif 000006
【図５】
2016109343.tif 000007
【図６】
2016109343.tif 000008
【図７】
2016109343.tif 000009